【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
セルロース繊維を含む予め膨張されたタンポンプレジットであって、前記タンポンプレジットは、立方センチメートル当り約０．０１グラム（ｇ／ｃｃ）から約０．３９ｇ／ｃｃまでの密度および約６グラムから約１８グラムまでの吸収性を有し、前記吸収性が、輸送層の使用無しに前記セルロース繊維により達成されるタンポンプレジット。
【請求項２】
前記セルロース繊維が、レーヨン、綿、パルプおよびそれらのいずれかの組み合わせからなる群より選択される請求項１記載の予め膨張されたプレジット。
【請求項３】
前記タンポンプレジットが約８ｃｃから約５２ｃｃまでの体積を有する請求項１記載の予め膨張されたタンポンプレジット。
【請求項４】
前記セルロース繊維が、約１．３グラムから約４．５グラムの量で前記タンポンプレジット中に存在する請求項１記載の予め膨張されたタンポンプレジット。
【請求項５】
前記タンポンプレジットが、初期状態で約０．５インチから約１．７５インチまでの直径を有する請求項１記載の予め膨張されたタンポンプレジット。
【請求項６】
前記タンポンプレジットがクロス−パッド構造を有する請求項１記載の予め膨張されたタンポンプレジット。
【請求項７】
前記タンポンプレジットがラジアル構造を有する請求項１記載の予め膨張されたタンポンプレジット。
【請求項８】
前記タンポンプレジットが、フラットパッド構造を有する請求項１記載の予め膨張されたタンポンプレジット。
【請求項９】
前記タンポンプレジットの少なくとも一部の周りにカバーストックをさらに備える請求項１記載の予め膨張されたタンポンプレジット。
【請求項１０】
約０．０１ｇ／ｃｃから約０．３１ｇ／ｃｃまでの密度および約６グラムから約９グラムまでの吸収性を有し、前記吸収性が輸送層の使用無しに達成される予め膨張されたタンポンプレジット。
【請求項１１】
前記密度が約０．１５ｇ／ｃｃから約０．２９ｇ／ｃｃである請求項１０記載の予め膨張されたタンポンプレジット。
【請求項１２】
前記タンポンプレジットがセルロース繊維を含む請求項１０記載の予め膨張されたプレジット。
【請求項１３】
前記セルロース繊維がレーヨン、綿、パルプおよびそれらのいずれかの組み合わせからなる群より選択される請求項１２記載の予め膨張されたタンポンプレジット。
【請求項１４】
前記タンポンプレジットが約７ｃｃから約１２ｃｃの体積を有する請求項１０記載の予め膨張されたタンポンプレジット。
【請求項１５】
前記セルロース繊維が約１．６グラムから約２．４グラムまでの量で前記タンポンプレジット中に存在する請求項１２記載の予め膨張されたタンポンプレジット。
【請求項１６】
前記タンポンプレジットが、初期状態で約０．５インチから約０．８インチまでの直径を有する請求項１０記載の予め膨張されたタンポンプレジット。
【請求項１７】
前記タンポンプレジットがクロス−パッド構造を有する請求項１０記載の予め膨張されたタンポンプレジット。
【請求項１８】
前記タンポンプレジットがラジアル構造を有する請求項１０記載の予め膨張されたタンポンプレジット。
【請求項１９】
前記タンポンプレジットがフラットパッド構造を有する請求項１０記載の予め膨張されたタンポンプレジット。
【請求項２０】
前記タンポンプレジットの少なくとも一部の周りにカバーストックをさらに備える請求項１０記載の予め膨張されたタンポンプレジット。
【請求項２１】
セルロース繊維を含む予め膨張されたタンポンプレジットであって、前記タンポンプレジットは、約０．０１ｇ／ｃｃから約０．３２ｇ／ｃｃまでの密度および約９グラムから約１２グラムまでの吸収性を有し、前記吸収性が、輸送層の使用無しに達成される予め膨張されたタンポンプレジット。
【請求項２２】
前記密度が約０．１５ｇ／ｃｃから約０．３０ｇ／ｃｃまでである請求項２１記載の予め膨張されたタンポンプレジット。
【請求項２３】
前記セルロース繊維がレーヨン、綿、パルプおよびそれらのいずれかの組み合わせからなる群より選択される請求項２１記載の予め膨張されたタンポンプレジット。
【請求項２４】
前記タンポンプレジットが約９ｃｃから約１４ｃｃまでの体積を有する請求項２１記載の予め膨張されたタンポンプレジット。
【請求項２５】
前記セルロース繊維が約２．２５グラムから約２．７５グラムまでの量でタンポンプレジット中に存在する請求項２１記載の予め膨張されたタンポンプレジット。
【請求項２６】
前記タンポンプレジットが初期状態で、約０．６５インチから約０．８インチまでの直径を有する請求項２１記載の予め膨張されたタンポンプレジット。
【請求項２７】
前記タンポンプレジットがクロス−パッド構造を有する請求項２１記載の予め膨張されたタンポンプレジット。
【請求項２８】
前記タンポンプレジットがラジアル構造を有する請求項２１記載の予め膨張されたタンポンプレジット。
【請求項２９】
前記タンポンプレジットがフラットパッド構造を有する請求項２１記載の予め膨張されたタンポンプレジット。
【請求項３０】
前記タンポンプレジットの少なくとも一部の周りにカバーストックをさらに備える請求項２１記載の予め膨張されたタンポンプレジット。
【請求項３１】
約０．０２ｇ／ｃｃから約０．０３５ｇ／ｃｃまでの密度および約９グラムから約１２グラムまでの吸収性を有する予め膨張されたタンポンプレジット。
【請求項３２】
前記タンポンプレジットがセルロース繊維を含む請求項３１記載の予め膨張されたプレジット。
【請求項３３】
前記セルロース繊維がレーヨン、コットン、パルプ、およびそれらのいずれかの組み合わせからなる群より選択される請求項３２記載の予め膨張されたタンポンプレジット。
【請求項３４】
前記吸収性が輸送層の使用無しに達成される請求項３１記載の予め膨張されたタンポンプレジット。
【請求項３５】
前記タンポンプレジットが約４０ｃｃから約６０ｃｃまでの体積を有する請求項３１記載の予め膨張されたタンポンプレジット。
【請求項３６】
前記セルロース繊維が、約１．１グラムから約１．７グラムまでの量でタンポンプレジット中に存在する請求項３２記載の予め膨張されたタンポンプレジット。
【請求項３７】
前記タンポンプレジットが初期状態で約１．２５インチから約１．７５インチまでの直径を有する請求項３１記載の予め膨張されたタンポンプレジット。
【請求項３８】
前記タンポンプレジットが、クロス−パッド構造を有する請求項３１記載の予め膨張されたタンポンプレジット。
【請求項３９】
前記タンポンプレジットがラジアル構造を有する請求項３１記載の予め膨張されたタンポンプレジット。
【請求項４０】
前記タンポンプレジットがフラットパッド構造を有する請求項３１記載の予め膨張されたタンポンプレジット。
【請求項４１】
前記タンポンプレジットの少なくとも一部の周りにカバーストックをさらに備える請求項３１記載の予め膨張されたタンポンプレジット。
【請求項４２】
約０．０１ｇ／ｃｃから約０．３５ｇ／ｃｃまでの密度および約１２グラムから約１５グラムの吸収性を有する予め膨張されたタンポンプレジット。
【請求項４３】
前記密度が約０．２０ｇ／ｃｃから約０．３３ｇ／ｃｃまでである請求項４２記載の予め膨張されたタンポンプレジット。
【請求項４４】
前記タンポンプレジットがセルロース繊維を含む請求項４２記載の予め膨張されたプレジット。
【請求項４５】
前記セルロース繊維が、レーヨン、綿、パルプおよびそれらの組み合わせからなる群より選択される請求項４４記載の予め膨張されたタンポンプレジット。
【請求項４６】
前記吸収性が、輸送層の使用無しに達成される請求項４２記載の予め膨張されたタンポンプレジット。
【請求項４７】
前記タンポンプレジットが約１０ｃｃから約１５ｃｃまでの体積を有する請求項４２記載の予め膨張されたタンポンプレジット。
【請求項４８】
前記セルロース繊維が、約３グラムから約３．５グラムまでの量でタンポンプレジット中に存在する請求項４４記載の予め膨張されたタンポンプレジット。
【請求項４９】
前記タンポンプレジットが、初期状態で、約０．６５インチから約０．８インチまでの直径を有する請求項４２記載の予め膨張されたタンポンプレジット。
【請求項５０】
前記タンポンプレジットがクロス−パッド構造を有する請求項４２記載の予め膨張されたタンポンプレジット。
【請求項５１】
前記タンポンプレジットがラジアル構造を有する請求項４２記載の予め膨張されたタンポンプレジット。
【請求項５２】
前記タンポンプレジットがフラットパッド構造を有する請求項４２記載の予め膨張されたタンポンプレジット。
【請求項５３】
前記タンポンプレジットの少なくとも一部の周りにカバーストックをさらに備える請求項４２記載の予め膨張されたタンポンプレジット。
【請求項５４】
約０．０１ｇ／ｃｃから約０．３９ｇ／ｃｃまでの密度および約１５グラムから約１８グラムの吸収性を有する予め膨張されたタンポンプレジット。
【請求項５５】
前記密度が約０．２５ｇ／ｃｃから約０．３５ｇ／ｃｃまでである請求項５４記載の予め膨張されたタンポンプレジット。
【請求項５６】
前記タンポンプレジットがセルロース繊維を含む請求項５４記載の予め膨張されたプレジット。
【請求項５７】
前記セルロース繊維が、レーヨン、綿、パルプ、およびそれらの組み合わせからなる群より選択される請求項５６記載の予め膨張されたタンポンプレジット。
【請求項５８】
前記吸収性が、輸送層の使用無しに達成される請求項５４記載の予め膨張されたタンポンプレジット。
【請求項５９】
前記タンポンプレジットが約１０ｃｃから約１５ｃｃまでの体積を有する請求項５４記載の予め膨張されたタンポンプレジット。
【請求項６０】
前記セルロース繊維が、約３．５グラムから約４．５グラムまでの量で前記タンポンプレジット中に存在する請求項５６記載の予め膨張されたタンポンプレジット。
【請求項６１】
前記タンポンプレジットが、初期状態で約０．６５インチから約０．８インチまでの直径を有する請求項５４記載の予め膨張されたタンポンプレジット。
【請求項６２】
前記タンポンプレジットが、クロス−パッド構造を有する請求項５４記載の予め膨張されたタンポンプレジット。
【請求項６３】
前記タンポンプレジットがラジアル構造を有する請求項５４記載の予め膨張されたタンポンプレジット。
【請求項６４】
前記タンポンプレジットがフラットパッド構造を有する請求項５４記載の予め膨張されたタンポンプレジット。
【請求項６５】
前記タンポンプレジットの少なくとも一部の周りにカバーストックをさらに備える請求項５４記載の予め膨張されたタンポンプレジット。